(57)【要約】【課題】印刷媒体に貼り付けられた無線タグのデータを読取部で読み取り、読み取ったデータの内容を印刷媒体に印刷する場合において、複数枚の印刷媒体について無線タグのデータの読み取りと読み取ったデータの印刷とを連続して行える印刷装置を提供する。【解決手段】印刷媒体３に貼り付けられている無線タグ２のデータを読み取る読取部６が、複数枚の印刷媒体３を保持する印刷媒体保持部４から搬送手段５により搬送される印刷媒体３に貼り付けられている無線タグ２のデータを、印刷媒体保持部４に保持されている他の印刷媒体３に貼り付けられている無線タグ２のデータと区別して読取可能な位置に位置付けられている。【選択図】    図１
2004284066.tif 000002
【特許請求の範囲】
【請求項１】
無線タグが貼り付けられた複数枚の印刷媒体を保持可能な印刷媒体保持部と、
前記印刷媒体を一枚ずつ搬送する搬送手段と、
前記搬送手段により搬送された前記印刷媒体に貼り付けられている前記無線タグのデータを他の前記印刷媒体に貼り付けられている前記無線タグのデータと区別して読取可能な位置に位置付けられた読取部と、
前記読取部で読み取ったデータの内容を前記印刷媒体に対して印刷する印刷部と、
を有する印刷装置。
【請求項２】
前記印刷媒体保持部に設けられ、前記印刷媒体を一枚ごとに分離して保持する分離保持ガイドを有する請求項１記載の印刷装置。
【請求項３】
前記印刷媒体保持部に保持されている前記印刷媒体に貼り付けられている前記無線タグと前記読取部との間に電磁遮蔽部が設けられている請求項１又は２記載の印刷装置。
【請求項４】
前記印刷媒体保持部に保持されている前記印刷媒体に貼り付けられている前記無線タグのＱを低下させる部材が前記印刷媒体保持部の近傍に設けられている請求項１又は２記載の印刷装置。
【請求項５】
前記印刷媒体保持部が電磁的な遮蔽機能を有する請求項１又は２記載の印刷装置。
【請求項６】
前記印刷媒体保持部が前記無線タグのＱを低下させる機能を有する請求項１又は２記載の印刷装置。
【請求項７】
前記無線タグの貼付範囲を検知する検知手段と、この検知手段の検知結果に応じて前記無線タグの位置に印刷しないように前記印刷部を制御する印刷範囲制御手段とを有する請求項１ないし６のいずれか一記載の印刷装置。
【請求項８】
前記印刷媒体の搬送方向に沿った前記印刷部の上流側に書き換え可能な前記印刷媒体に印刷された事項を消去する消去部が設けられている請求項１ないし７のいずれか一記載の印刷装置。
【請求項９】
前記無線タグに記憶されているデータと同じデータを予め記憶する記憶部と、前記記憶部に記憶されているデータと前記読取部で読み取ったデータとが一致しているか否かを判定する判定手段とを有する請求項１ないし８のいずれか一記載の印刷装置。
【請求項１０】
前記判定手段による判定結果を前記印刷部で前記印刷媒体上に印刷して表示する印刷表示手段が設けられている請求項９記載の印刷装置。
【請求項１１】
前記無線タグに記憶されているデータと同じデータを予め記憶する記憶部と、前記印刷媒体上に印刷された内容を読み取るスキャナと、前記スキャナで読み取ったデータと前記記憶部に予め記憶されているデータとが一致しているか否かを判定する第二判定手段とを有する請求項９記載の印刷装置。
【請求項１２】
前記判定手段又は前記第二判定手段による判定結果が一致しないことを報知する報知手段が設けられている請求項９ないし１１のいずれか一記載の印刷装置。
【発明の詳細な説明】
【０００１】
【発明の属する技術分野】
本発明は、無線タグが貼り付けられた印刷媒体に対して印刷を行うことが可能な印刷装置に関する。
【０００２】
【従来の技術】
近年、非接触でデータの読み取り、書き込みが可能な無線タグを使用した、いわゆるＲＦＩＤ（Ｒａｄｉｏ  Ｆｒｅｑｕｅｎｃｙ  Ｉｄｅｎｔｉｆｉｃａｔｉｏｎ  Ｓｙｓｔｅｍ）と呼ばれるＩＣカードが普及している。
【０００３】
このようなＩＣカードを使用したシステムは、非接触でデータの更新が可能であるため、乗り物の乗車券や、流通商品の管理システム等において普及しつつある。
【０００４】
一方、無線タグのデータの内容は視覚で確認することができないため、無線タグを用紙などの印刷媒体に貼り付け、その無線タグのデータの内容を印刷媒体に印刷し、無線タグのデータの内容を視覚的に確認できるようにした発明が提案されている（例えば、特許文献１参照）。
【０００５】
【特許文献１】
特開２００２−２３６８９１公報
【０００６】
【発明が解決しようとする課題】
しかし、印刷媒体に貼り付けられた無線タグのデータを読取部で読み取り、その読み取ったデータの内容を印刷部で印刷媒体に印刷する場合、複数枚の印刷媒体を保持する印刷媒体保持部、読取部、印刷部等を備えた印刷装置を使用すると、印刷媒体保持部に保持した複数枚の印刷媒体に貼り付けられている個々の無線タグのデータを区別して読み取れないという問題がある。
【０００７】
このため、複数枚の印刷媒体を印刷媒体保持部に保持し、その印刷媒体を連続して搬送しながら印刷媒体への印刷を連続して行うことができない。
【０００８】
本発明の目的は、無線タグが貼り付けられた複数枚の印刷媒体を印刷媒体保持部に保持し、各印刷媒体に貼り付けられた無線タグのデータの読み取りと読み取ったデータの内容の各印刷媒体への印刷を正確に行え、しかも、複数枚の印刷媒体における無線タグのデータの読み取りと読み取ったデータの印刷とを連続して行うことができる印刷装置を提供することである。
【０００９】
【課題を解決するための手段】
請求項１記載の発明の印刷装置は、無線タグが貼り付けられた複数枚の印刷媒体を保持可能な印刷媒体保持部と、前記印刷媒体を一枚ずつ搬送する搬送手段と、前記搬送手段により搬送された前記印刷媒体に貼り付けられている前記無線タグのデータを他の前記印刷媒体に貼り付けられている前記無線タグのデータと区別して読取可能な位置に位置付けられた読取部と、前記読取部で読み取ったデータの内容を前記印刷媒体に対して印刷する印刷部と、を有する。
【００１０】
したがって、この印刷装置では、無線タグが貼り付けられた複数枚の印刷媒体が印刷媒体保持部に保持され、その印刷媒体は搬送手段により一枚ずつ搬送され、搬送された印刷媒体に貼り付けられている無線タグのデータが読取部で読み取られる。この読取部は、搬送手段により搬送された印刷媒体に貼り付けられている無線タグのデータを他の印刷媒体に貼り付けられている無線タグのデータと区別して読取可能な位置に位置付けられているため、搬送される印刷媒体に貼り付けられている無線タグのデータの読み取りを印刷媒体保持部に保持されている他の印刷媒体に貼り付けられている無線タグの影響を受けずに行える。無線タグのデータが読取部で読み取られると、その読み取ったデータの内容が印刷部により印刷媒体に対して印刷される。これにより、印刷媒体保持部に保持された複数枚の印刷媒体に貼り付けられた各無線タグのデータの読み取りと、その読み取ったデータの内容の印刷媒体への印刷とを、精度よく、かつ、連続して行える。
【００１１】
請求項２記載の発明は、請求項１記載の印刷装置において、前記印刷媒体保持部に設けられ、前記印刷媒体を一枚ごとに分離して保持する分離保持ガイドを有する。
【００１２】
したがって、印刷媒体保持部に保持された複数枚の印刷媒体が分離保持ガイドによって分離保持されることにより、各印刷媒体に貼り付けられている無線タグが干渉して印刷媒体の搬送不良が発生することが防止される。このため、印刷媒体保持部に保持された複数枚の印刷媒体に貼り付けられた各無線タグのデータの読み取りと、その読み取ったデータの内容の印刷媒体への印刷とを、精度よく、かつ、連続して行える。
【００１３】
請求項３記載の発明は、請求項１又は２記載の印刷装置において、前記印刷媒体保持部に保持されている前記印刷媒体に貼り付けられている前記無線タグと前記読取部との間に電磁遮蔽部が設けられている。
【００１４】
したがって、印刷媒体保持部に保持されている印刷媒体に貼り付けられている無線タグのデータを誤って読取部で読み取るということが防止され、搬送される印刷媒体に貼り付けられている無線タグのデータの読み取りを高精度に行える。さらに、読取部を印刷媒体保持部に近付けた場合でも印刷媒体保持部に保持されている印刷媒体に貼り付けられている無線タグのデータを誤って読取部で読み取るということが防止されるので、読取部を印刷媒体保持部に近接して配置することにより印刷装置の小型化を図ることが可能になる。
【００１５】
請求項４記載の発明は、請求項１又は２記載の印刷装置において、前記印刷媒体保持部に保持されている前記印刷媒体に貼り付けられている前記無線タグのＱを低下させる部材が前記印刷媒体保持部の近傍に設けられている。
【００１６】
したがって、印刷媒体保持部に保持されている印刷媒体に貼り付けられている無線タグのＱが低下することにより、印刷媒体保持部に保持されている印刷媒体に貼り付けられている無線タグのデータを読取部で読み取りにくくなり、搬送される印刷媒体に貼り付けられている無線タグのデータの読み取りを高精度に行える。さらに、読取部を印刷媒体保持部に近付けた場合でも印刷媒体保持部に保持されている印刷媒体に貼り付けられている無線タグのデータを誤って読取部で読み取るということが防止されるので、読取部を印刷媒体保持部に近接して配置することにより印刷装置の小型化を図ることが可能になる。
【００１７】
ここで、無線タグのＱとは、共振の鋭さを表わす量であり、このＱが大きくなることにより読取部との距離が離れても読み取り可能となり、このＱが小さくなることにより読取部との距離が近付かなければ読み取れなくなるという性質がある。無線タグのＱを低下させる部材としては、例えば、無線タグと同等の共振周波数をもつ損失の多いコイルなどが挙げられる。
【００１８】
請求項５記載の発明は、請求項１又は２記載の印刷装置において、前記印刷媒体保持部が電磁的な遮蔽機能を有する。
【００１９】
したがって、電磁的な遮蔽機能を有する部材を別部品として準備することが不要となり、部品点数が少なくなる。
【００２０】
請求項６記載の発明は、請求項１又は２記載の印刷装置において、前記印刷媒体保持部が前記無線タグのＱを低下させる機能を有する。
【００２１】
したがって、無線タグのＱを低下させる部材を別部品として準備することが不要となり、部品点数が少なくなる。
【００２２】
請求項７記載の発明は、請求項１ないし６のいずれか一記載の印刷装置において、前記無線タグの貼付範囲を検知する検知手段と、この検知手段の検知結果に応じて前記無線タグの位置に印刷しないように前記印刷部による印刷範囲を制御する印刷範囲制御手段とを有する。
【００２３】
したがって、印刷部による印刷において無線タグ上への印刷が防止されるので、見易く確実な印刷が印刷媒体上に行われ、無線タグ上へ印刷することに伴う無線タグの損傷が防止される。
【００２４】
請求項８記載の発明は、請求項１ないし７のいずれか一記載の印刷装置において、前記印刷媒体の搬送方向に沿った前記印刷部の上流側に書き換え可能な前記印刷媒体に印刷された事項を消去する消去部が設けられている。
【００２５】
したがって、無線タグが貼り付けられている印刷媒体に対して既に印刷が行われている場合でも、その印刷媒体を印刷媒体保持部から搬送することにより、既に印刷媒体に印刷されている事項を消去部で消去し、その印刷媒体に対し、読取部で読み取った無線タグのデータの内容の印刷を印刷部で行える。このため、無線タグを貼り付けた印刷媒体に対して繰り返し印刷して資源の有効利用を図ることができ、また、印刷媒体へ印刷した状態での無線タグの使用が終了した後に、その無線タグを再度使用する場合にその無線タグを印刷媒体から剥がして新たな印刷媒体に貼り付けるという手間が不要となり、無線タグを繰り返し使用する場合の手間が軽減される。
【００２６】
請求項９記載の発明は、請求項１ないし８のいずれか一記載の印刷装置において、前記無線タグに記憶されているデータと同じデータを予め記憶する記憶部と、前記記憶部に記憶されているデータと前記読取部で読み取ったデータとが一致しているか否かを判定する判定手段とを有する。
【００２７】
したがって、読取部での読み取りがノイズ等の影響で誤って行われた場合に、その誤りを速やかに検知できる。
【００２８】
請求項１０記載の発明は、請求項９記載の印刷装置において、前記判定手段による判定結果を前記印刷部で前記印刷媒体上に印刷して表示する印刷表示手段が設けられている。
【００２９】
したがって、印刷媒体に印刷された判定結果を見ることにより、無線タグに記憶されているデータと印刷媒体に印刷された内容とが一致しているか否かの視認確認を行える。
【００３０】
請求項１１記載の発明は、請求項９記載の印刷装置において、前記無線タグに記憶されているデータと同じデータを予め記憶する記憶部と、前記印刷媒体上に印刷された内容を読み取るスキャナと、前記スキャナで読み取ったデータと前記記憶部に予め記憶されているデータとが一致しているか否かを判定する第二判定手段とを有する。
【００３１】
したがって、印刷媒体に印刷された内容と記憶部に記憶されているデータの内容とが比較されるため、無線タグに記憶されているデータの内容と印刷媒体に印刷された内容とが一致しているか否かの判定を高精度に行える。
【００３２】
請求項１２記載の発明は、請求項９ないし１１のいずれか一記載の印刷装置において、前記判定手段又は前記第二判定手段による判定結果が一致しないことを報知する報知手段が設けられている。
【００３３】
したがって、記憶部に予め記憶されている無線タグのデータと読取部で読み取った無線タグのデータとが一致しない場合、又は、印刷媒体に印刷された内容と記憶部に記憶されているデータとが一致しない場合には報知手段により報知される。
【００３４】
報知手段としては、ＬＥＤなどによる点灯ランプ、ブザー音などを発する報知ブザー等が挙げられる。
【００３５】
【発明の実施の形態】
本発明の第一の実施の形態を図１ないし図３に基づいて説明する。図１は印刷装置の概略構造を示す側面図である。図２は無線タグが貼り付けられた印刷媒体を示す正面図である。
【００３６】
本実施の形態の印刷装置１は、無線タグ２が貼り付けられた印刷媒体３に対する印刷が可能な装置で、複数枚の印刷媒体３を保持可能な印刷媒体保持部である給紙カセット４、給紙カセット４に保持された印刷媒体３を一枚ずつ搬送する搬送手段である搬送ローラ５、無線タグ２のデータを読み取り可能、及び、無線タグ２へデータを書き込み可能である読取部である無線タグ用リーダ・ライタ６、印刷媒体３への印刷を行う印刷部７を備えている。図１において破線で示した部分は、印刷媒体３が搬送される搬送経路８である。
【００３７】
印刷媒体３への無線タグ２の貼り付けは、印刷部７による印刷面と反対側となる裏面に対して行われている。無線タグ２の方式としては、データキャリア方式と呼ばれる電磁結合方式や電磁誘導方式、あるいは、電波方式のものが代表的であるが、他の方式、例えば、静電結合方式、赤外線を用いた光方式等であってもよい。
【００３８】
無線タグ用リーダ・ライタ６は、搬送ローラ５により給紙カセット４から一枚ずつ搬送された印刷媒体３に貼り付けられている無線タグ２に対し、給紙カセット４に保持されている他の印刷媒体３に貼り付けられている無線タグ２と区別してデータの読み取り、書き込みが可能な位置に位置付けられている。したがって、一枚の印刷媒体３が搬送ローラ５により搬送され、その印刷媒体３が無線タグ用リーダ・ライタ６に近接した所定位置まで搬送されることにより、無線タグ用リーダ・ライタ６は、その印刷媒体３に貼り付けられている無線タグ２のデータのみを読み取ることができ、又は、その無線タグ２に対してのみデータの書き込みが可能となる。
【００３９】
印刷部７は、無線タグ用リーダ・ライタ６で読み取られた無線タグ２のデータの内容を、その無線タグ２が貼り付けられている印刷媒体３に対して印刷可能な構成である。なお、この印刷部７は、無線タグ用リーダ・ライタ６で読み取った無線タグ２のデータの内容のみを印刷するという構成ではなく、作業モードの設定を変更することにより、無線タグ用リーダ・ライタ６以外の箇所、例えば、この印刷装置１に接続されているパソコン等から送信されたデータに基づいて印刷を行える構成である。
【００４０】
図３は、印刷装置１の電気的接続を示すブロック図である。印刷装置１には、ＣＰＵ、ＲＯＭ、ＲＡＭ（いずれも図示せず）等により構成されるマイクロコンピュータ構成の制御部９が設けられており、この制御部９に対し、搬送モータ１０、無線タグ用リーダ・ライタ６、印刷部７、各種の操作キーや表示部を備えた操作パネル１１等が接続されている。無線タグ用リーダ・ライタ６と印刷媒体３に貼り付けられた無線タグ２との間では、無線タグ２のデータの読み取り、無線タグ２へのデータの書き込みが行われる。
【００４１】
このような構成において、この印刷装置１では、操作パネル１１上の操作キーを操作することにより、印刷媒体３に貼り付けられた無線タグ２のデータを無線タグ用リーダ・ライタ６で読み取り、その読み取ったデータの内容を印刷部７で印刷媒体３に印刷する作業モードに設定することができる。
【００４２】
上記の作業モードに設定し、それぞれ無線タグ２が貼り付けられた複数枚の印刷媒体３を給紙カセット４に保持してスタートキーを押すと、給紙カセット４に保持された印刷媒体３が搬送ローラ５の駆動により一枚ずつ搬送される。
【００４３】
搬送ローラ５により搬送された印刷媒体３が所定位置まで搬送され、その印刷媒体３に貼り付けられている無線タグ２と無線タグ用リーダ・ライタ６との距離が、無線タグ２のデータを無線タグ用リーダ・ライタ６で読み取り可能な距離になると、無線タグ２のデータが無線タグ用リーダ・ライタ６で読み取られる。
【００４４】
無線タグ用リーダ・ライタ６で読み取られた無線タグ２のデータは印刷部７に送られ、そのデータの内容が印刷媒体３に印刷される。これにより、無線タグ２のデータの内容が、その無線タグ２が貼り付けられている印刷媒体３に印刷されることになり、印刷媒体３に貼り付けられている無線タグ２のデータの内容を視認することが可能になる。
【００４５】
ここで、この印刷装置１では、無線タグ用リーダ・ライタ６が、給紙カセット４から搬送された一枚の印刷媒体３に貼り付けられている無線タグ２のデータのみを読み取ることができ、給紙カセット４に保持されている他の印刷媒体３に貼り付けられている無線タグ２のデータを読み取ることができない位置に位置付けられている。このため、給紙カセット４から搬送された印刷媒体３に貼り付けられている無線タグ２のデータを、給紙カセット４に保持されている他の印刷媒体３に貼り付けられている無線タグ２のデータの影響を受けずに精度よく読み取ることができる。さらに、読み取ったデータの内容をその無線タグ２が貼り付けられている印刷媒体３に印刷することができる。
【００４６】
このため、無線タグ２が貼り付けられた複数枚の印刷媒体３を給紙カセット４に保持し、その印刷媒体３を一枚ずつ連続して搬送する場合において、各印刷媒体３に貼り付けられた各無線タグ２のデータの読み取りと、その読み取ったデータの内容をその無線タグ２が貼り付けられている印刷媒体３に印刷することとを、精度よく、かつ、連続して行える。
【００４７】
本発明の第二の実施の形態を図４及び図５に基づいて説明する。なお、図１ないし図３において説明した部分と同じ部分は同じ符号で示し、説明も省略する（以下の実施の形態でも同じ）。
【００４８】
本実施の形態の印刷装置２１は、第一の実施の形態と同じように、給紙カセット４、搬送ローラ５、無線タグ用リーダ・ライタ６、印刷部７等を有し、その電気的接続は第一の実施の形態と同じである。
【００４９】
本実施の形態が第一の実施の形態と異なる点は、本実施の形態の印刷装置２１では、給紙カセット４に分離保持ガイド２２が設けられている点である。
【００５０】
分離保持ガイド２２は、給紙カセット４に保持された複数枚の印刷媒体３を一枚ごとに分離して保持するものであり、対向して配置された一対の櫛刃状のガイド部２２ａと、一対のガイド部２２ａを接離方向に間隔調節自在に連結するスライド連結部２２ｂとから構成されている。ガイド部２２ａは、給紙カセット４に保持される印刷媒体３の搬送方向と直交する方向の両縁部を保持する。
【００５１】
分離保持ガイド２２は、給紙カセット４に対して一体化した構成でもよく、又は、給紙カセット４に対して着脱可能な構成としてもよい。
【００５２】
ガイド部２２ａの櫛刃部分の間隔は、印刷媒体３に貼り付けた無線タグ２が他の印刷媒体３と干渉しない間隔に設定されている。給紙カセット４に保持する印刷媒体３のサイズが異なる場合には、そのサイズに応じてスライド連結部２２ｂを伸縮させ、対向する一対のガイド部２２ａの距離を調節する。
【００５３】
このような構成において、給紙カセット４に保持されたる複数枚の印刷媒体３が分離保持ガイド２２によって分離保持されるため、それらの印刷媒体３を一枚ずつ搬送する場合、印刷媒体３に貼り付けられている無線タグ２が他の印刷媒体３に干渉して印刷媒体３の搬送不良が発生することが防止される。
【００５４】
このため、給紙カセット４に保持された印刷媒体３の搬送、及び、その印刷媒体３に貼り付けられた無線タグ２のデータの無線タグ用リーダ・ライタ６での読み取り、及び、読み取ったデータの内容の印刷部７での印刷を、精度よく、かつ、連続して行える。
【００５５】
本発明の第三の実施の形態を図６に基づいて説明する。
【００５６】
本実施の形態の印刷装置３１は、第一の実施の形態で説明した印刷装置１の給紙カセット４に、薄板形状の電磁遮蔽部３２が取り付けられている。この電磁遮蔽部３２は、給紙カセット４に保持されている印刷媒体３に貼り付けられている無線タグ２と、無線タグ用リーダ・ライタ６との間に位置付けられている。
【００５７】
電磁遮蔽部３２は、給紙カセット４に保持されている印刷媒体３に貼り付けられている無線タグ２のデータを無線タグ用リーダ・ライタ６で誤って読み取ることを防止するためのものであり、金属導体、フェライト材、その他のシールド材で形成することができる。
【００５８】
給紙カセット４への電磁遮蔽部３２の取り付けは、ネジ止め、貼り付け等により行うことができる。また、給紙カセット４への電磁遮蔽部３２の取り付けは、図示するように給紙カセット４の裏面側に限らず、給紙カセット４の表面側（給紙カセット４における印刷媒体３を保持する側）としてもよい。
【００５９】
このような構成において、電磁遮蔽部３２を給紙カセット４に取り付けることにより、給紙カセット４に保持されている印刷媒体３に貼り付けられている無線タグ２のデータを無線タグ用リーダ・ライタ６で読み取ることを防止でき、給紙カセット４から搬送された印刷媒体３に貼り付けられている無線タグ２のデータのみを正確に読み取ることができる。
【００６０】
このため、無線タグ用リーダ・ライタ６を給紙カセット４に近づけて位置付けた場合でも、給紙カセット４から搬送された印刷媒体３に貼り付けられた無線タグ２のデータのみを確実に読み取ることができる。このため、無線タグ用リーダ・ライタ６を給紙カセット４に近づけて位置付けることにより、印刷装置３１の小型化を図ることができる。
【００６１】
なお、本実施の形態では、電磁遮蔽部３２を給紙カセット４に取り付けた場合を例に挙げて説明したが、給紙カセット４を電磁的な遮蔽機能を有する材料で形成してもよい。その場合には、電磁遮蔽部３２を給紙カセット４と別個に設ける必要がなくなり、また、その電磁遮蔽部３２を給紙カセット４に取り付ける工程も不要となり、部品点数、製造工程数が低減される。
【００６２】
本発明の第四の実施の形態を図７に基づいて説明する。
【００６３】
本実施の形態の印刷装置４１は、基本的には第三の実施の形態の印刷装置３１と同じであり、印刷装置３１と異なる点は、給紙カセット４に電磁遮蔽部３２に代えて、無線タグ２のＱを低下させる部材４２が取り付けられている点である。無線タグ２のＱとは、共振の鋭さを表わす量であり、このＱが大きくなることにより、無線タグ用リーダ・ライタ６との距離が離れても読み取り可能となり、このＱが小さくなることにより無線タグ用リーダ・ライタ６との距離が近付かなければ読み取れなくなるという性質がある。無線タグ２のＱを低下させる部材４２としては、例えば、無線タグ２と同等の共振周波数をもつ損失の多いコイルなどが挙げられる。
【００６４】
このような構成において、無線タグ２のＱを低下させる部材４２を給紙カセット４に取り付けることにより、給紙カセット４に保持されている印刷媒体３に貼り付けられている無線タグ２のデータを無線タグ用リーダ・ライタ６で読み取ることを防止でき、給紙カセット４から搬送された印刷媒体３に貼り付けられている無線タグ２のデータのみを正確に読み取ることができる。
【００６５】
このため、無線タグ用リーダ・ライタ６を給紙カセット４に近づけて位置付けた場合でも、給紙カセット４から搬送された印刷媒体３に貼り付けられた無線タグ２のデータのみを確実に読み取ることができ、無線タグ用リーダ・ライタ６を給紙カセット４に近づけて位置付けることにより印刷装置４１の小型化を図ることができる。
【００６６】
なお、本実施の形態では、無線タグ２のＱを低下させる部材４２を給紙カセット４に取り付けた場合を例に挙げて説明したが、給紙カセット４を無線タグ２のＱを低下させる機能を有する材料で形成してもよい。その場合には、無線タグ２のＱを低下させる部材４２を給紙カセット４と別個に設ける必要がなくなり、また、その部材４２を給紙カセット４に取り付ける工程も不要となり、部品点数、製造工程数が低減される。
【００６７】
本発明の第五の実施の形態を図８ないし図１０に基づいて説明する。図８は印刷装置の概略構造を示す側面図、図９は印刷装置の電気的接続を示すブロック図である。
【００６８】
本実施の形態の印刷装置５１は、給紙カセット４から印刷部７へ向けて印刷媒体３が搬送される搬送経路上に、その印刷媒体３に貼り付けられている無線タグ２の貼付範囲を検知するための検知手段である反射形の光センサ５２が設けられている。光センサ５２は、印刷媒体３の搬送方向と直交する向きに複数個設けられており、反射する光が印刷媒体３の部分と無線タグ２の部分とで異なることを検知する。
【００６９】
この印刷装置５１では図９のブロック図に示すように、光センサ５２とタイマ５３とが制御部９に接続されている。
【００７０】
図１０は、光センサ５２とタイマ５３とからの信号に基づいて、印刷部７での印刷範囲を決定する処理を説明するフローチャートである。光センサ５２から無線タグ２を検知したことの信号が制御部９に入力され（ステップＳ１）、タイマ５３から無線タグ２を検知しているときの継続時間の信号が制御部９に入力される（ステップＳ２）。制御部９では、光センサ５２からの信号とタイマ５３からの信号とにより、印刷部７での印刷媒体３への印刷において、無線タグ２の位置に印刷しないように印刷範囲を決定する処理が行われ（ステップＳ３）、ここに、制御部９の機能の一つである印刷範囲制御手段が実行される。
【００７１】
このような構成において、無線タグ２が貼り付けられた印刷媒体３が給紙カセット４から搬送されると、その無線タグ２のデータが無線タグ用リーダ・ライタ６で読み取られ、そのデータの内容が印刷部７により印刷媒体３に印刷される。
【００７２】
この印刷に際しては、光センサ５２とタイマ５３とからの信号に基づいて制御部９の機能の一つである印刷範囲制御手段が実行されているので、印刷媒体３における無線タグ２が貼り付けられている位置への印刷が防止される。
【００７３】
このため、印刷媒体３に印刷された内容が、無線タグ２の周縁部分で途切れた状態となったりかすれたりすることがなく、見易い印刷状態となる。
【００７４】
また、印刷に伴う加圧、加熱が無線タグ２に対して行われないので、印刷時における無線タグ２の損傷が防止され、無線タグ２の耐久性が向上する。
【００７５】
本発明の第六の実施の形態を図１１及び図１２に基づいて説明する。図１１は印刷装置の概略構造を示す側面図、図１２は印刷装置の電気的接続を示すブロック図である。
【００７６】
本実施の形態の印刷装置６１は、給紙カセット４から印刷部７へ向けて印刷媒体３が搬送される搬送経路８上であって印刷部７より上流側に、印刷媒体３に印刷されている事項を消去する消去部６２が設けられている。この消去部６２は図１１のブロック図に示すように、制御部９に接続されている。
【００７７】
ここで、本実施の形態の印刷装置６１では、印刷媒体３として書き換え可能なものを用いている。書き換え可能な印刷媒体３としては種々のタイプのものがあり、例えば、温度によって印字、消去が可能なロイコ染料を用いたものや、光によって書き換え可能なものが挙げられる。書き換え可能な印刷媒体３としてロイコ染料を用いた場合には、消去部６２と印刷部７とは共に発熱方式で消去、印刷を行うタイプのものを使用する。
【００７８】
また、消去部６２の形態としては、印刷媒体３に付着しているトナーを掻き取るような形式のものであってもよい。この場合には、印刷部７はトナーを用いた形式のものを使用する。
【００７９】
このような構成において、給紙カセット４に保持されている印刷媒体３に対して既に印刷が行われている場合でも、その印刷媒体３を給紙カセット４から搬送することにより、既に印刷媒体３に印刷されている事項を消去部６２で消去し、その印刷媒体３に対し、無線タグ用リーダ・ライタ６で読み取った無線タグ２のデータの内容の印刷を印刷部７で行える。
【００８０】
このため、無線タグ２を貼り付けた印刷媒体３に対して繰り返し印刷することができ、一度印刷した印刷媒体３を廃棄することなく資源の有効利用を図ることができる。
【００８１】
また、印刷媒体３へ印刷した状態での無線タグ２の使用が終了した後にその無線タグ２を再度使用する場合において、その無線タグ２を印刷媒体３から剥がして新たな印刷媒体３に貼り付けるという手間をかけることなく、無線タグ２をその印刷媒体３に貼り付けたまま繰り返し使用することができる。
【００８２】
本発明の第七の実施の形態を図１３ないし図１６に基づいて説明する。図１３は印刷装置の概略構造を示す側面図、図１４は印刷装置の電気的接続を示すブロック図である。
【００８３】
本実施の形態の印刷装置７１には、無線タグ２に記憶されているデータと同じデータを予め記憶している記憶部７２が設けられている。各無線タグ２のデータが無線タグ２ごとに異なる場合には、各無線タグ２に記憶されるデータ及び記憶部７２に予め記憶されるデータの両方に、その無線タグ２を特定するナンバーを含ませておく。記憶部７２への無線タグ２のデータの入力は、この印刷装置７１に接続されているパソコン（図示せず）等からの入力操作により行われる。
【００８４】
図１４のブロック図に示すように、記憶部７２が制御部９に接続され、記憶部７２に記憶されているデータは制御部９に送信される。操作パネル１１上には、後述する判定手段による判定結果が一致しない場合に点灯する報知手段である報知ランプ７３が設けられている。
【００８５】
図１６は、無線タグ用リーダ・ライタ６で読み取った無線タグ２のデータと、記憶部７２に記憶されているデータとが一致しているか否かを判定する処理を説明するフローチャートである。無線タグ用リーダ・ライタ６で読み取った無線タグ２のデータが制御部９に入力されると（ステップＳ１１）、その無線タグ用リーダ・ライタ６で読み取った無線タグ２のデータ（読取データ）と記憶部７２に予め記憶されている無線タグ２のデータ（記憶データ）とが一致しているか否かが判定され（ステップＳ１２）、ここに、制御部９の機能の一つである判定手段が実行される。ステップＳ１２の判定により、一致していると判定された場合には（ステップＳ１２のＹ）、無線タグ用リーダ・ライタ６で読み取ったデータの内容と共に一致している旨の判定結果が印刷部７によって印刷媒体３上に印刷され（ステップＳ１３）、ここに、制御部９の機能の一つである印刷表示手段が実行される。一致している旨の判定結果の印刷内容の一例としては、図１４（ｂ）に示すように、“○（判定ＯＫ）”等である。
【００８６】
一方、ステップＳ１２の判定により、一致していないと判定された場合には（ステップＳ１２のＮ）、無線タグ用リーダ・ライタ６で読み取ったデータの内容と共に一致していない旨の判定結果が印刷部７によって印刷媒体３上に印刷され（ステップＳ１４）、ここに、制御部９の機能の一つである印刷表示手段が実行される。一致していない旨の判定結果の印刷内容の一例としては、図１４（ａ）に示すように、“×（データが異なります）”等である。さらに、報知ランプ７３が点灯される（ステップＳ１５）。
【００８７】
このような構成において、無線タグ用リーダ・ライタ６で無線タグ２のデータを読み取った場合、その読取データは、図１６のフローチャートで説明したように、記憶部７２に予め記憶されている記憶データと比較される。
【００８８】
そして、その比較結果が一致した場合には、無線タグ用リーダ・ライタ６で読み取った無線タグ２のデータの内容と共に、図１４（ｂ）に示すような“○（判定ＯＫ）”の表示が印刷媒体３に印刷される。
【００８９】
一方、その比較結果が一致しない場合には、無線タグ用リーダ・ライタ６で読み取った無線タグ２のデータの内容と共に、図１４（ａ）に示すような“×（データが異なります）”の表示が印刷媒体３に印刷され、さらに、操作パネル１１上の報知ランプ７３が点灯する。
【００９０】
このため、無線タグ用リーダ・ライタ６での無線タグ２のデータの読み取りに際し、ノイズ等の影響で誤った読み取りが行われた場合には、印刷媒体３上への印刷表示手段による印刷、報知ランプ７３の点灯により、誤った読み取りが行われたことを速やかに検知できる。
【００９１】
これにより、無線タグ２が貼り付けられた印刷媒体３が、その無線タグ２のデータと異なる内容を印刷媒体３に印刷された状態で流通するということを防止できる。
【００９２】
本発明の第八の実施の形態を図１７ないし図１９に基づいて説明する。図１７は印刷装置の概略構造を示す側面図、図１８は印刷装置の電気的接続を示すブロック図である。
【００９３】
本実施の形態の印刷装置８１には、第七の実施の形態で説明した記憶部７２、印刷媒体３上に印刷された内容を読み取るスキャナ８２が設けられている。
【００９４】
図１８のブロック図に示すように、記憶部７２とスキャナ８２とが制御部９に接続され、記憶部７２に予め記憶されているデータ、スキャナ８２で読み取られたデータが制御部９に送信される。
【００９５】
図１９は、スキャナ８２で読み取ったデータと記憶部７２に記憶されているデータとが一致しているか否かを判定する処理を説明するフローチャートである。スキャナ８２で読み取ったデータ（読取データ）が制御部９に入力されると（ステップＳ２１）、その読取データと記憶部７２に予め記憶されている無線タグ２のデータ（記憶データ）とが一致しているか否かが判定され（ステップＳ２２）、ここに、制御部９の機能の一つである第二判定手段が実行される。ステップＳ２２の判定により、一致していると判定された場合には（ステップＳ２２のＹ）、そのまま処理を終了する。一方、ステップＳ２２の判定により、一致していないと判定された場合には（ステップＳ２２のＮ）、報知ランプ７３が点灯される（ステップＳ２３）。
【００９６】
このような構成において、無線タグ用リーダ・ライタ６で無線タグ２のデータを読み取った場合、その読み取ったデータの内容が印刷部７により印刷媒体３に印刷される。
【００９７】
印刷媒体３に印刷された内容はスキャナ８２で読み取られ、図１９のフローチャートで説明したように、スキャナ８２で読み取ったデータと記憶部７２に記憶されているデータとが比較される。
【００９８】
そして、その比較結果が一致しない場合には、操作パネル１１上の報知ランプ７３が点灯する。
【００９９】
したがって、印刷媒体３に印刷されたデータの内容と、その印刷媒体３に貼り付けられている無線タグ２のデータの内容とが一致しているか否かの判定を高精度に行える。
【０１００】
このため、無線タグ用リーダ・ライタ６での無線タグ２のデータの読み取りに際し、ノイズ等の影響で誤った読み取りが行われたため、又は、印刷部７での印刷段階で何らかの異常が発生したために、無線タグ２に記憶されているデータと異なる内容が印刷媒体３に印刷された場合でも、それを確実に検知できる。
【０１０１】
これにより、無線タグ２が貼り付けられた印刷媒体３が、その無線タグ２のデータと異なる内容を印刷媒体３に印刷された状態で流通するということを確実に防止できる。
【０１０２】
【発明の効果】
請求項１記載の発明の印刷装置によれば、印刷媒体に貼り付けられている無線タグのデータを読み取る読取部が、印刷媒体保持部から搬送手段により搬送される印刷媒体に貼り付けられている無線タグのデータを印刷媒体保持部に保持されている他の印刷媒体に貼り付けられている無線タグのデータと区別して読取可能な位置に位置付けられているため、印刷媒体保持部に保持された複数枚の印刷媒体に貼り付けられた各無線タグのデータの読み取りと、その読み取ったデータの内容の印刷媒体への印刷とを、精度よく、かつ、連続して行うことができる。
【０１０３】
請求項２記載の発明によれば、請求項１記載の印刷装置において、前記印刷媒体保持部に設けられ、前記印刷媒体を一枚ごとに分離して保持する分離保持ガイドを有するので、印刷媒体保持部からの印刷媒体の搬送時に各印刷媒体に貼り付けられている無線タグが干渉して印刷媒体の搬送不良が発生することを防止でき、印刷媒体保持部に保持された複数枚の印刷媒体に貼り付けられた各無線タグのデータの読み取りと、その読み取ったデータの内容の印刷媒体への印刷とを、精度よく、かつ、連続して行うことができる。
【０１０４】
請求項３記載の発明によれば、請求項１又は２記載の印刷装置において、前記印刷媒体保持部に保持されている前記印刷媒体に貼り付けられている前記無線タグと前記読取部との間に電磁遮蔽部が設けられているので、印刷媒体保持部に保持されている印刷媒体に貼り付けられている無線タグのデータを読取部で誤って読み取るということを防止でき、搬送される印刷媒体に貼り付けられている無線タグのデータの読み取りを高精度に行うことができる。さらに、読取部を印刷媒体保持部に近付けた場合でも印刷媒体保持部に保持されている印刷媒体に貼り付けられている無線タグのデータを誤って読取部で読み取るということが防止されるので、読取部を印刷媒体保持部に近接して配置することにより印刷装置の小型化を図ることができる。
【０１０５】
請求項４記載の発明によれば、請求項１又は２記載の印刷装置において、前記印刷媒体保持部に保持されている前記印刷媒体に貼り付けられている前記無線タグのＱを低下させる部材が前記印刷媒体保持部の近傍に設けられているので、印刷媒体保持部に保持されている印刷媒体に貼り付けられている無線タグのＱが低下することにより、印刷媒体保持部に保持されている印刷媒体に貼り付けられている無線タグのデータを読取部で読み取りにくくなり、搬送される印刷媒体に貼り付けられている無線タグのデータの読み取りを高精度に行うことができる。さらに、読取部を印刷媒体保持部に近付けた場合でも、印刷媒体保持部に保持されている印刷媒体に貼り付けられている無線タグのデータを読取部で読み取るということが防止されるので、読取部を印刷媒体保持部に近接して配置することにより印刷装置の小型化を図ることができる。
【０１０６】
請求項５記載の発明によれば、請求項１又は２記載の印刷装置において、前記印刷媒体保持部が電磁的な遮蔽機能を有するので、電磁的な遮蔽機能を有する部材を別部品として準備することが不要となり、部品点数を少なくすることができる。
【０１０７】
請求項６記載の発明によれば、請求項１又は２記載の印刷装置において、前記印刷媒体保持部が前記無線タグのＱを低下させる機能を有するので、無線タグのＱを低下させる部材を別部品として準備することが不要となり、部品点数を少なくすることができる。
【０１０８】
請求項７記載の発明によれば、請求項１ないし６のいずれか一記載の印刷装置において、前記無線タグの貼付範囲を検知する検知手段と、この検知手段の検知結果に応じて前記無線タグの位置に印刷しないように前記印刷部による印刷範囲を制御する印刷範囲制御手段とを有するので、印刷部による印刷において無線タグ上への印刷を防止でき、見易く確実な印刷を印刷媒体上に行うことができ、また、印刷に伴う無線タグへの加熱、加圧を防止して無線タグの耐久性を向上させることができる。
【０１０９】
請求項８記載の発明によれば、請求項１ないし７のいずれか一記載の印刷装置において、前記印刷媒体の搬送方向に沿った前記印刷部の上流側に書き換え可能な前記印刷媒体に印刷された事項を消去する消去部が設けられているので、印刷媒体へ印刷した状態での無線タグの使用が終了した後に、その無線タグを再度使用する場合にその無線タグを印刷媒体から剥がして新たな印刷媒体に貼り付けるという手間が不要となり、無線タグを繰り返し使用する場合の手間を軽減できる。
【０１１０】
請求項９記載の発明によれば、請求項１ないし８のいずれか一記載の印刷装置において、前記無線タグに記憶されているデータと同じデータを予め記憶する記憶部と、前記記憶部に記憶されているデータと前記読取部で読み取ったデータとが一致しているか否かを判定する判定手段とを有するので、読取部での読み取りがノイズ等の影響で誤って行われた場合に、その誤りを速やかに検知できる。
【０１１１】
請求項１０記載の発明によれば、請求項９記載の印刷装置において、前記判定手段による判定結果を前記印刷部で前記印刷媒体上に印刷して表示する印刷表示手段が設けられているので、印刷媒体に印刷された判定結果を見ることにより、無線タグのデータと印刷媒体に印刷された内容とが一致しているか否かの視認確認を簡単に行うことができる。
【０１１２】
請求項１１記載の発明によれば、請求項９記載の印刷装置において、前記無線タグに記憶されているデータと同じデータを予め記憶する記憶部と、前記印刷媒体上に印刷された内容を読み取るスキャナと、前記スキャナで読み取ったデータと前記記憶部に予め記憶されているデータとが一致しているか否かを判定する第二判定手段とを有するので、無線タグのデータと印刷媒体に印刷された内容とが一致しているか否かの判定を高精度に行うことができる。
【０１１３】
請求項１２記載の発明によれば、請求項９ないし１１のいずれか一記載の印刷装置において、前記判定手段又は前記第二判定手段による判定結果が一致しないことを報知する報知手段が設けられているので、無線タグのデータと印刷媒体に印刷された内容が異なる場合の報知を速やかに行うことができる。
【図面の簡単な説明】
【図１】本発明の第一の実施の形態の印刷装置の概略構造を示す側面図である。
【図２】無線タグが貼り付けられた印刷媒体を示す正面図である。
【図３】印刷装置の電気的接続を示すブロック図である。
【図４】本発明の第二の実施の形態の印刷装置の概略構造を示す側面図である。
【図５】その一部を示す平面図である。
【図６】本発明の第三の実施の形態の印刷装置の概略構造を示す側面図である。
【図７】本発明の第四の実施の形態の印刷装置の概略構造を示す側面図である。
【図８】本発明の第五の実施の形態の印刷装置の概略構造を示す側面図である。
【図９】印刷装置の電気的接続を示すブロック図である。
【図１０】光センサとタイマとからの信号に基づいて、印刷部での印刷範囲を決定する処理を説明するフローチャートである。
【図１１】本発明の第六の実施の形態の印刷装置の概略構造を示す側面図である。
【図１２】印刷装置の電気的接続を示すブロック図である。
【図１３】本発明の第七の実施の形態の印刷装置の概略構造を示す側面図である。
【図１４】印刷装置の電気的接続を示すブロック図である。
【図１５】印刷表示手段が実行されたときの印刷媒体への印刷内容の一例を示す説明図である。
【図１６】無線タグ用リーダ・ライタで読み取った無線タグ２のデータと記憶部に記憶されているデータとが一致しているか否かを判定する処理を説明するフローチャートである。
【図１７】本発明の第八の実施の形態の印刷装置の概略構造を示す側面図である。
【図１８】印刷装置の電気的接続を示すブロック図である。
【図１９】スキャナで読み取ったデータと記憶部に記憶されているデータとが一致しているか否かを判定する処理を説明するフローチャートである。
【符号の説明】
２      無線タグ
３      印刷媒体
４      印刷媒体保持部
５      搬送手段
６      読取部
７      印刷部
２２      分離保持ガイド
３２      電磁遮蔽部
４２      無線タグのＱを低下させる部材
５２      検知手段
６２      消去部
７２      記憶部
７３      報知手段
８２      スキャナ
ステップＳ３      印刷範囲制御手段
ステップＳ１２    判定手段
ステップＳ１３、１４  印刷表示手段
ステップＳ２２    第二判定手段
【図１】
2004284066.tif 000003
【図２】
2004284066.tif 000004
【図３】
2004284066.tif 000005
【図４】
2004284066.tif 000006
【図５】
2004284066.tif 000007
【図６】
2004284066.tif 000008
【図７】
2004284066.tif 000009
【図８】
2004284066.tif 000010
【図９】
2004284066.tif 000011
【図１０】
2004284066.tif 000012
【図１１】
2004284066.tif 000013
【図１２】
2004284066.tif 000014
【図１３】
2004284066.tif 000015
【図１４】
2004284066.tif 000016
【図１５】
2004284066.tif 000017
【図１６】
2004284066.tif 000018
【図１７】
2004284066.tif 000019
【図１８】
2004284066.tif 000020
【図１９】
2004284066.tif 000021